(57)【特許請求の範囲】
【請求項１】
排尿日時と排尿量とを含む排尿データを表示する排尿データ表示制御部と、
起床時刻に関するデータおよび就寝時刻に関するデータを表示する時刻データ表示制御部と、
前記排尿データの分析結果を表示する分析結果表示制御部とを備え、
前記排尿データ、前記起床時刻に関するデータおよび前記就寝時刻に関するデータ、および前記排尿データの前記分析結果を同一画面上に表示するように構成されており、
前記排尿データ表示制御部は、前記起床時刻から翌日の起床時刻までの単位期間内に属する前記排尿データを表示するように構成されている、排尿情報表示装置。
【請求項２】
前記起床時刻に関するデータおよび前記就寝時刻に関するデータの入力を受け付ける起床就寝時刻入力受付部と、
前記起床就寝時刻入力受付部によって取得された入力データに基づいて、前記起床時刻に関するデータおよび前記就寝時刻に関するデータを修正する起床就寝時刻修正部とをさらに備え、
前記排尿データ表示制御部は、前記起床時刻に関するデータの修正が行われた結果、修正後の前記起床時刻前の前記排尿データを画面から削除するとともに、前記就寝時刻に関するデータの修正が行われた結果、修正後の前記就寝時刻に関するデータの表示位置を修正する制御を行うように構成されている、請求項１に記載の排尿情報表示装置。
【請求項３】
異なる日の排尿日誌を表示するためにユーザの入力操作を受け付ける入力部をさらに備える、請求項２に記載の排尿情報表示装置。
【請求項４】
起床から就寝までの前記排尿データと、就寝から起床までの前記排尿データとを異なる表示態様で視覚的に識別可能に表示するように構成されている、請求項１〜３のいずれか１項に記載の排尿情報表示装置。
【請求項５】
前記起床から就寝までの前記排尿データと、前記就寝から起床までの前記排尿データとを、互いに異なる文字色または背景色で表示するように構成されている、請求項４に記載の排尿情報表示装置。
【請求項６】
前記排尿データと、前記起床時刻に関するデータおよび前記就寝時刻に関するデータと、前記排尿データの前記分析結果とを含む、単位期間のデータを表示する第１表示領域と、前記第１表示領域に含まれる少なくともいずれかのデータを、複数の前記単位期間に渡って表示する第２表示領域とを有する、請求項１〜５のいずれか１項に記載の排尿情報表示装置。
【請求項７】
前記第１表示領域は、前記単位期間としての１日のデータを時系列に沿って表示するように構成されており、
前記第２表示領域は、複数日のデータをグラフ表示するように構成されている、請求項６に記載の排尿情報表示装置。
【請求項８】
前記第１表示領域と、前記第２表示領域とを、異なる画面で表示するように構成されている、請求項６または７に記載の排尿情報表示装置。
【請求項９】
前記排尿データの前記分析結果は、合計排尿量、１日の合計排尿回数、起床中および就寝中のそれぞれの平均排尿量および／または排尿回数のうち少なくとも１つ以上を含む、請求項１〜８のいずれか１項に記載の排尿情報表示装置。
【請求項１０】
排尿に関する切迫感、尿漏れ、排便の有無のうち少なくとも１つ以上を含む前記排尿データの追加情報を表示する追加情報表示制御部をさらに備える、請求項１〜９のいずれか１項に記載の排尿情報表示装置。
【請求項１１】
前記時刻データ表示制御部は、時系列に並ぶ前記排尿データの間に、前記起床時刻に関するデータおよび前記就寝時刻に関するデータとして、それぞれ、前記起床時刻の標識および前記就寝時刻の標識を表示する、起床就寝標識表示制御部を含む、請求項１〜１０のいずれか１項に記載の排尿情報表示装置。
【請求項１２】
前記排尿データおよび前記排尿データの前記分析結果の少なくとも１つ以上のうち、閾値を上回る数値データを強調する標識を表示する強調表示制御部をさらに備える、請求項１〜１１のいずれか１項に記載の排尿情報表示装置。
【請求項１３】
前記閾値の入力を受け付ける閾値入力受付部をさらに備え、
前記強調表示制御部は、前記閾値の入力を受け付けて、前記閾値を変更可能に構成されている、請求項１２に記載の排尿情報表示装置。
【請求項１４】
請求項１〜１３のいずれか１項に記載の排尿情報表示装置と、
前記排尿情報表示装置と無線または有線により接続可能な排尿量計測機器とを備える、排尿情報表示システム。
【請求項１５】
排尿日時と排尿量とを含む排尿データを表示する排尿データ表示制御部と、
起床時刻に関するデータおよび就寝時刻に関するデータを表示する時刻データ表示制御部と、
前記排尿データの分析結果を表示する分析結果表示制御部と、
前記起床時刻に関するデータおよび前記就寝時刻に関するデータの入力を受け付ける起床就寝時刻入力受付部と、
前記起床就寝時刻入力受付部によって取得された入力データに基づいて、前記起床時刻に関するデータおよび前記就寝時刻に関するデータを修正する起床就寝時刻修正部とを備え、
前記排尿データ、前記起床時刻に関するデータおよび前記就寝時刻に関するデータ、および前記排尿データの前記分析結果を同一画面上に表示するように構成されており、
前記排尿データ表示制御部は、前記起床時刻に関するデータの修正が行われた結果、修正後の前記起床時刻前の前記排尿データを画面から削除するとともに、前記就寝時刻に関するデータの修正が行われた結果、修正後の前記就寝時刻に関するデータの表示位置を修正する制御を行うように構成されている、排尿情報表示装置。
【発明の詳細な説明】
【技術分野】
【０００１】
この発明は、排尿情報表示装置に関し、特に、患者の排尿情報を電子化して表示することが可能な排尿情報表示装置および排尿情報表示システムに関する。
【背景技術】
【０００２】
従来、患者の排尿情報を電子化して表示することが可能な排尿情報表示装置が知られている。このような排尿情報表示装置は、たとえば、特開２００６−２３１０３２号公報に開示されている。【０００３】
上記特開２００６−２３１０３２号公報には、患者が排尿用紙に手書きする手間を省き、かつ排尿記録の正確性を期すことができるとともに、医師が手入力でデータをコンピュータに入力することを省くことができる排尿情報表示装置が開示されている。上記特開２００６−２３１０３２号公報に開示されている排尿情報表示装置は、患者が尿量計測機器（電子天秤）で計測した排尿情報を、無線通信により病院に設置されているサーバに保存するか、排尿情報を記録した記憶媒体を医師に渡すかによって排尿情報を提供する。また、医師が確認する際は、コンピュータから病院に設置されているサーバにアクセスするか、患者から渡された記憶媒体から読み込むことによって患者の排尿情報を取得し、取得した患者の排尿情報を時系列に表示する構成となっている。
【先行技術文献】
【特許文献】
【０００４】
【特許文献１】特開２００６−２３１０３２号公報
【発明の概要】
【発明が解決しようとする課題】
【０００５】
しかし、上記特開２００６−２３１０３２号公報に開示されている排尿情報表示装置は、患者の排尿データを時系列に沿って表示しているだけである。したがって、患者の排尿情報を診断に用いる際に、医師が一見しただけでは患者の起床就寝などの生活習慣と排尿情報とを結び付けて把握することが難しいという問題点がある。【０００６】
この発明は、上記のような課題を解決するためになされたものであり、この発明の１つの目的は、患者の排尿情報を診断する際に、医師が患者の起床就寝などの生活習慣と排尿情報とを結び付けて容易に把握することが可能な排尿情報表示装置および排尿情報表示システムを提供することである。
【課題を解決するための手段】
【０００７】
上記目的を達成するために、この発明の第１の局面における排尿情報表示装置は、排尿日時と排尿量とを含む排尿データを表示する排尿データ表示制御部と、起床時刻に関するデータおよび就寝時刻に関するデータを表示する時刻データ表示制御部と、排尿データの分析結果を表示する分析結果表示制御部とを備え、排尿データ、起床時刻に関するデータおよび就寝時刻に関するデータ、および排尿データの分析結果を同一画面上に表示するように構成されている。【０００８】
この発明の第１の局面における排尿情報表示装置では、上記のように、排尿データを表示する排尿データ表示制御部と、起床時刻に関するデータおよび就寝時刻に関するデータを表示する時刻データ表示制御部と、排尿データの分析結果を表示する分析結果表示制御部とを備え、排尿データ、起床時刻に関するデータおよび就寝時刻に関するデータ、および排尿データの分析結果を同一画面上に表示するように構成されており、排尿データ表示制御部は、起床時刻から翌日の起床時刻までの単位期間内に属する排尿データを表示するように構成されている。これにより、排尿データ、起床時刻に関するデータおよび就寝時刻に関するデータ、および排尿データの分析結果といった、診断に必要なデータを同一画面に配置した表示態様で表示を行うことができる。そのため、時系列の排尿データや排尿データから別途分析を行った分析結果を医師が見比べる必要がなくなる。その結果、患者の排尿情報を診断する際に、医師が患者の起床就寝などの生活習慣と排尿情報とを結び付けて容易に把握することができる。
上記第１の局面による排尿情報表示装置において、好ましくは、起床時刻に関するデータおよび就寝時刻に関するデータの入力を受け付ける起床就寝時刻入力受付部と、起床就寝時刻入力受付部によって取得された入力データに基づいて、起床時刻に関するデータおよび就寝時刻に関するデータを修正する起床就寝時刻修正部とをさらに備え、排尿データ表示制御部は、起床時刻に関するデータの修正が行われた結果、修正後の起床時刻前の排尿データを画面から削除するとともに、就寝時刻に関するデータの修正が行われた結果、修正後の就寝時刻に関するデータの表示位置を修正する制御を行うように構成されている。
この場合、好ましくは、異なる日の排尿日誌を表示するためにユーザの入力操作を受け付ける入力部をさらに備える。
【０００９】
上記第１の局面による排尿情報表示装置において、好ましくは、起床から就寝までの排尿データと、就寝から起床までの排尿データとを異なる表示態様で視覚的に識別可能に表示するように構成されている。このように構成すれば、起床中の排尿データと、就寝中の排尿データとが視覚的に識別可能になるので、医師が排尿時間と起床時刻および就寝時刻とを見比べることなく、一見して排尿データが起床中のデータであるか就寝中のデータであるかを判断することができる。【００１０】
この場合、好ましくは、起床から就寝までの排尿データと、就寝から起床までの排尿データとを、互いに異なる文字色または背景色で表示するように構成されている。このように構成すれば、起床から就寝までの排尿データと、就寝から起床までの排尿データとが色分けされるので、起床中の排尿データと就寝中の排尿データとをさらに容易に識別することができる。【００１１】
上記第１の局面による排尿情報表示装置では、好ましくは、排尿データと、起床時刻に関するデータおよび就寝時刻に関するデータと、排尿データの分析結果とを含む、単位期間のデータを表示する第１表示領域と、第１表示領域に含まれる少なくともいずれかのデータを、複数の単位期間に渡って表示する第２表示領域とを有する。このように構成すれば、排尿データ、起床時刻に関するデータおよび就寝時刻に関するデータおよび排尿データの分析結果の単位期間中のデータから、短期間における突発的な異変の有無などを確認することができる。また、排尿データ、起床時刻に関するデータおよび就寝時刻に関するデータおよび排尿データの分析結果の複数の単位期間に渡るデータから、治療の効果など、長期的な経過を確認することができる。【００１２】
この場合、好ましくは、第１表示領域は、単位期間としての１日のデータを時系列に沿って表示するように構成されており、第２表示領域は、複数日のデータをグラフ表示するように構成されている。このように構成すれば、第１表示領域において、１日の時系列に沿った実データを確認することができるので、１日の中での異変等を、より詳細に確認することができる。また、第２表示領域において、複数日のデータをグラフによって視覚的に確認することができるので、治療の効果などをより容易に把握することができる。【００１３】
上記第１の表示領域と第２の表示領域とを含む構成において、好ましくは、第１表示領域と、第２表示領域とを、異なる画面で表示するように構成されている。このように構成すれば、１画面に情報を詰め込みすぎることを抑制することができるので、排尿情報を見やすくすることができる。【００１４】
上記第１の局面による排尿情報表示装置では、好ましくは、排尿データの分析結果は、合計排尿量、１日の合計排尿回数、起床中および就寝中のそれぞれの平均排尿量および／または排尿回数のうち少なくとも１つ以上を含む。このように構成すれば、合計排尿量、１日の合計排尿回数、起床中および就寝中のそれぞれの平均排尿量および／または排尿回数などの診断に必要な排尿データの分析結果を、排尿データ、起床時刻に関するデータおよび就寝時刻に関するデータとともに確認することができるので、診断の負担を軽減することができる。【００１５】
上記第１の局面による排尿情報表示装置では、好ましくは、排尿に関する切迫感、尿漏れ、排便の有無のうち少なくとも１つ以上を含む排尿データの追加情報を表示する追加情報表示制御部をさらに備える。このように構成すれば、排尿時の状況をより詳細に把握することができるので、診断の精度を向上させることができる。【００１６】
上記第１の局面による排尿情報表示装置では、好ましくは、時刻データ表示制御部は、時系列に並ぶ排尿データの間に、起床時刻に関するデータおよび就寝時刻に関するデータとして、それぞれ、起床時刻の標識および就寝時刻の標識を表示する、起床就寝標識表示制御部を含む。このように構成すれば、起床時刻および就寝時刻を、起床時刻の標識および就寝時刻の標識により視覚的に把握することができるので、時系列に並ぶ排尿データのうち、起床中の排尿データの範囲と就寝中の排尿データの範囲とを容易に区別することができる。【００１７】
上記第１の局面による排尿情報表示装置では、好ましくは、排尿データおよび排尿データの分析結果の少なくとも１つ以上のうち、閾値を上回る数値データを強調する標識を表示する強調表示制御部をさらに備える。このように構成すれば、異常値（医師が設定した閾値を超える値）を示しているデータを見落とすことを抑制することができる。【００１８】
この場合、好ましくは、閾値の入力を受け付ける閾値入力受付部をさらに備え、強調表示制御部は、閾値の入力を受け付けて、閾値を変更可能に構成されている。このように構成すれば、ユーザである医師が自由に適切な閾値を設定することができるので、各医師で異なる基準に合わせた診断の利便性を向上させることができる。【００２０】
この発明の第２の局面における排尿情報表示システムでは、上記第１の局面による排尿情報表示装置と、排尿情報表示装置と無線または有線により接続可能な排尿量計測機器とを備える。
【００２１】
この発明の第２の局面における排尿情報表示システムでは、上記のように、上記第１の局面による排尿情報表示装置と、排尿量計測機器とを備える。これにより、医師が診断を行う際に必要なデータを排尿量計測機器から取得し、排尿データと、起床時刻に関するデータおよび就寝時刻に関するデータと、排尿データの分析結果とを表示することができる。その結果、患者の排尿情報を診断する際に、医師が患者の起床就寝などの生活習慣と排尿情報とを結び付けて容易に把握することができる。また、排尿データを排尿量計測機器から取得することができるので、医師が手入力する手間を省くことができる。また、分析したデータを取得することができるので、医師が分析する手間を省くことができる。
この発明の第３の局面における排尿情報表示装置では、排尿日時と排尿量とを含む排尿データを表示する排尿データ表示制御部と、起床時刻に関するデータおよび就寝時刻に関するデータを表示する時刻データ表示制御部と、排尿データの分析結果を表示する分析結果表示制御部と、起床時刻に関するデータおよび就寝時刻に関するデータの入力を受け付ける起床就寝時刻入力受付部と、起床就寝時刻入力受付部によって取得された入力データに基づいて、起床時刻に関するデータおよび就寝時刻に関するデータを修正する起床就寝時刻修正部とを備え、排尿データ、起床時刻に関するデータおよび就寝時刻に関するデータ、および排尿データの分析結果を同一画面上に表示するように構成されており、排尿データ表示制御部は、起床時刻に関するデータの修正が行われた結果、修正後の起床時刻前の排尿データを画面から削除するとともに、就寝時刻に関するデータの修正が行われた結果、修正後の就寝時刻に関するデータの表示位置を修正する制御を行うように構成されている。
【発明の効果】
【００２２】
本発明によれば、上記のように、患者の排尿情報を診断する際に、医師が患者の起床就寝などの生活習慣と排尿情報とを結び付けて容易に把握することが可能な排尿情報表示装置および排尿情報表示システムを提供することができる。
【図面の簡単な説明】
【００２３】
【図１】本発明の一実施形態による排尿情報表示装置を備えた排尿情報表示システムの全体構成の模式図である。
【図２】本発明の一実施形態による排尿情報表示装置の概略を示したブロック図である。
【図３】本発明の一実施形態による排尿情報表示装置の排尿日誌表示画面のイメージ図である。
【図４】本発明の一実施形態による排尿情報表示装置の排尿日誌の起床時刻の変更を説明するための変更前（Ａ）、操作中（Ｂ）、変更後（Ｃ）のイメージ図である。
【図５】本発明の一実施形態による排尿情報表示装置の排尿日誌の就寝時刻の変更を説明するための変更前（Ａ）、操作中（Ｂ）、変更後（Ｃ）のイメージ図である。
【図６】本発明の一実施形態による排尿情報表示装置の昼夜の排尿回数表示画面のイメージ図である。
【図７】本発明の一実施形態による排尿情報表示装置の所定期間中の総排尿量表示画面のイメージ図である。
【図８】本発明の一実施形態による排尿情報表示装置の所定期間中の排尿量表示画面のイメージ図である。
【図９】本発明の一実施形態による排尿情報表示装置の閾値を設定する閾値設定画面のイメージ図である。
【図１０】本発明の一実施形態の第１変形例による排尿情報表示装置の一日の排尿量表示画面のイメージ図である。
【図１１】本発明の一実施形態の第２変形例による排尿情報表示装置の期間中の統計データ表示画面のイメージ図である。
【図１２】本発明の一実施形態の第３変形例による排尿情報表示装置の排尿日誌表示画面のイメージ図である。
【図１３】本発明の一実施形態の第４変形例による排尿情報表示装置の排尿日誌表示画面のイメージ図である。
【図１４】本発明の一実施形態の第５変形例による排尿情報表示装置の排尿日誌表示画面のイメージ図である。
【発明を実施するための形態】
【００２４】
以下、本発明を具体化した実施形態を図面に基づいて説明する。
【００２５】
図１〜図１１を参照して、一実施形態による排尿情報表示装置３を備えた排尿情報表示システム１００の構成について説明する。
【００２６】
（排尿情報表示システムの構成）
本実施形態による排尿情報表示システム１００は、図１に示すように、排尿量計測機器１と、排尿情報表示装置３とを備えている。図１に示す例では、排尿量計測機器１は、たとえば、体重計２ａと被検者端末２ｂなどを含んで構成されており、体重計２ａによって被検者の排尿前後の体重を計測し、被検者端末２ｂに送信するように構成されている。
【００２７】
また、被検者端末２ｂは、体重計２ａから送信された排尿前後の体重から、排尿量を算出し、算出した排尿量と排尿日時とを含む排尿データを保存するように構成されている。また、被検者端末２ｂは、排尿時の切迫感、尿漏れ、排便の有無など追加情報を被験者によって入力可能に構成されている。また、被検者端末２ｂは、排尿情報表示装置３と無線接続可能に構成されており、排尿データ、起床時刻に関するデータおよび就寝時刻に関するデータ、追加情報などを排尿情報表示装置３に送信するように構成されている。被検者端末２ｂは、たとえば、タブレット端末などで構成されている。
【００２８】
排尿情報表示装置３は、被検者端末２ｂから送信された排尿データ、起床時刻に関するデータおよび就寝時刻に関するデータ、追加情報を分析し、医師が一見して患者の状態を容易に把握することができるように表示するように構成されている。
【００２９】
（排尿情報表示装置の構成）
本実施形態による排尿情報表示装置３は、図２に示すように、通信部４と、制御部５と、記憶部６と、表示部７とを備えている。排尿情報表示装置３は、たとえば、タブレット端末などで構成されている。
【００３０】
通信部４は、外部の機器と通信し情報の送受信を行う。本実施形態では、通信部４は、被検者端末２ｂから排尿データ、起床時刻に関するデータおよび就寝時刻に関するデータ、および追加情報を受信し、制御部５に送るように構成されている。
【００３１】
制御部５は、たとえば、ＣＰＵ（Ｃｅｎｔｒａｌ  Ｐｒｏｃｅｓｓｉｎｇ  Ｕｎｉｔ）などのプロセッサを備えている。ＣＰＵは、制御プログラム６ａを実行することにより排尿情報表示装置３を制御する制御部として機能する。制御部５は、制御プログラム６ａを実行することによる機能として、排尿データ表示制御部５ａと、時刻データ表示制御部５ｂと、分析結果表示制御部５ｃと、追加情報表示制御部５ｄと、起床就寝標識表示制御部５ｅと、強調表示制御部５ｆと、起床就寝時刻修正部５ｇとを備える。
【００３２】
排尿データ表示制御部５ａは、通信部４から取得した排尿日時と排尿量とを含む排尿データを、時系列に並べた表形式で表示するように構成されている。
【００３３】
時刻データ表示制御部５ｂは、時系列に並べた排尿データの間に起床時刻に関するデータおよび就寝時刻に関するデータを表示するように構成されている。
【００３４】
また、時刻データ表示制御部５ｂは、時系列に並ぶ排尿データの間に、起床時刻に関するデータおよび就寝時刻に関するデータとして、それぞれ、起床時刻の標識１２（図３参照）および就寝時刻の標識１３（図３参照）を表示する起床就寝標識表示制御部５ｅを含む。
【００３５】
分析結果表示制御部５ｃは、排尿データの分析結果を表示するように構成されている。具体的には、分析結果表示制御部５ｃは、１日の排尿回数や排尿量を算出して表示するように構成されている。また、分析結果表示制御部５ｃは、起床中の排尿量の平均値、就寝中の排尿量の平均値および１日の排尿量の平均値を算出し、表示するように構成されている。また、分析結果表示制御部５ｃは、後述する追加情報のそれぞれの回数を算出し、表示するように構成されている。また、分析結果表示制御部５ｃは、排尿データの分析結果をグラフ化し、表示するように構成されている。なお、本明細書において、分析結果とは、排尿データ、起床時刻に関するデータおよび就寝時刻に関するデータ、および後述する追加情報を算出、集計することによって得られるデータのことである。
【００３６】
追加情報表示制御部５ｄは、排尿に関する切迫感（突発的に催した我慢できないくらいの尿意）、尿漏れ、排便の有無を含む排尿データの追加情報を表示するように構成されている。たとえば、本実施形態では、追加情報表示制御部５ｄは、時系列に沿って表示されている排尿データとともに、切迫感、尿漏れおよび排便の有無を追加情報として表示するように構成されている。なお、追加情報とは、排尿時に得られる排尿量、排尿日時、起床時刻および就寝時刻以外の排尿に関する主観的または客観的な情報のことである。
【００３７】
また、強調表示制御部５ｆは、排尿データおよび分析結果のうち、閾値を上回る数値データを強調する標識２２（図３参照）を表示するように構成されている。具体的には、強調表示制御部５ｆは、医師が設定した排尿量を上回る排尿があった場合、排尿量の横に数値データを強調する標識２２（図３参照）を表示するように構成されている。また、強調表示制御部５ｆは、医師が設定した排尿間隔よりも短い時間で排尿があった場合、排尿時間の横に数値データを強調する標識２２（図３参照）を表示するように構成されている。
【００３８】
また、起床就寝時刻修正部５ｇは、起床時刻に関するデータおよび就寝時刻に関するデータを修正可能に構成されている。具体的には、起床就寝時刻入力受付部７１によって取得された起床時刻に関するデータおよび就寝時刻に関するデータにより、起床時刻に関するデータおよび就寝時刻に関するデータを修正するように構成されている。
【００３９】
記憶部６は、半導体記憶素子やＨＤＤのような記憶装置を含み、制御部５で排尿データの分析等を行うための制御プログラム６ａを記憶している。
【００４０】
表示部７は、液晶モニタや有機ＥＬモニタのような表示装置を含み、制御部５から送られた排尿データ、起床時刻に関するデータおよび就寝時刻に関するデータ、追加情報を表示する。また、表示部７は、ソフトウェアとして、ユーザ（医師等）による閾値の入力を受け付ける閾値入力受付部７０を備えている。また、表示部７は、ソフトウェアとして、ユーザによる起床時刻に関するデータおよび就寝時刻に関するデータの入力を受け付ける起床就寝時刻入力受付部７１を備えている。
【００４１】
通信部４を介して被検者端末２ｂから受信した排尿データ、起床時刻に関するデータおよび就寝時刻に関するデータおよび追加情報は、制御部５に送られる。制御部５は記憶部６から制御プログラム６ａを呼び出し、通信部４から送られてきた排尿データ、起床時刻に関するデータおよび就寝時刻に関するデータおよび追加情報の分析を行う。制御部５は、排尿データ、起床時刻に関するデータおよび就寝時刻に関するデータ、分析結果および追加情報を表示部７に送る。また、制御部５は、送られた排尿データ、起床時刻に関するデータおよび就寝時刻に関するデータ、分析結果および追加情報を同一画面上に表示するように表示部７を制御する。また、表示部７に備えられた閾値入力受付部７０および起床就寝時刻入力受付部７１に入力された情報は、それぞれ、強調表示制御部５ｆおよび起床就寝時刻修正部５ｇに送られる。強調表示制御部５ｆは、閾値の入力を受け付けて、閾値を変更可能に構成されている。また、起床就寝時刻修正部５ｇは、起床就寝時刻入力受付部７１によって取得された入力データに基づいて、起床時刻に関するデータおよび就寝時刻に関するデータを修正するように構成されている。
【００４２】
排尿データ表示制御部５ａは、排尿日時および排尿量を時系列に表形式で表示する。また、時刻データ表示制御部５ｂに含まれる起床就寝標識表示制御部５ｅは、時系列に並ぶ排尿データの間に、起床時刻に関するデータおよび就寝時刻に関するデータとして、それぞれ、起床時刻の標識１２（図３参照）および就寝時刻の標識１３（図３参照）を表示する。また、分析結果表示制御部５ｃは、排尿データ、起床時刻に関するデータおよび就寝時刻に関するデータ、および追加情報の分析結果を表示する。
【００４３】
また、追加情報表示制御部５ｄは、時系列に沿って表示される排尿データの横に、切迫感、尿漏れ、排便の有無の標識２４（図３参照）を表示することによって追加情報を表示する。また、強調表示制御部５ｆは、医師が設定した閾値（上限値）を上回るデータ（排尿量、排尿間隔）に標識２２を表示することによって強調表示する。
【００４４】
次に、図３〜図１１を参照して、排尿情報表示装置３の表示部７に表示される画面について具体的に説明する。
【００４５】
図３は、表示部７に表示される排尿日誌画面７ａのイメージ図である。排尿日誌画面７ａには、画面切り替えタブ８と、前日ボタン９と、翌日ボタン１０と、設定ボタン１１と、起床時刻の標識１２と、就寝時刻の標識１３と、単位期間の排尿データと、起床時刻に関するデータおよび就寝時刻に関するデータと、排尿データの分析結果と、追加情報とを含む第１表示領域１４とが表示されている。
【００４６】
画面切り替えタブ８は、ユーザの入力操作（たとえば、タップ）によって、表示画面を切り替えるための入力部である。また、前日ボタン９および翌日ボタン１０は、ユーザの入力操作（たとえば、タップなど）によって、表示する排尿日誌を切り替える（異なる日の排尿日誌を表示する）ためのボタンである。また、設定ボタン１１は、ユーザの入力操作（たとえば、タップなど）によって閾値を変更するための閾値設定画面７ｅ（図９参照）を表示するためのボタンである。
【００４７】
第１表示領域１４には、時系列に沿った排尿日時および排尿量を含む排尿データを表示した表と、起床中の平均排尿量、就寝中の平均排尿量および１日の平均排尿量とが表示されている。また、時系列に並ぶ排尿データの間に、起床時刻に関するデータおよび就寝時刻に関するデータとして、それぞれ、起床時刻の標識１２および就寝時刻の標識１３が表示されている。また、排尿データの横には、追加情報として、排尿時の切迫感、尿漏れおよび排便の有無が表示されている。起床時刻の標識１２は、太陽のマークとその横に表示されている横方向の直線とを含む。また、就寝時刻の標識１３は、月のマークとその横に表示されている横方向の直線とを含む。
【００４８】
また、排尿データのうち、排尿量や排尿間隔など、閾値設定画面７ｅ（図９参照）において設定されている閾値を超えている排尿データには、標識２２を表示して、強調表示するように構成されている。
【００４９】
ここで、排尿データ、起床時刻に関するデータおよび就寝時刻に関するデータを時系列に並べるだけでは、一見して起床中の排尿データと就寝中の排尿データとを区別することが難しく、起床時刻および就寝時刻と、各排尿日時とを見比べ、排尿データが起床中のものか就寝中のものかを判断する必要がある。
【００５０】
そこで、排尿情報表示装置３は、排尿日誌画面７ａにおいて、起床から就寝までの排尿データと、就寝から起床までの排尿データとを異なる表示態様で視覚的に識別可能に表示するように構成されている。図３では、起床から就寝までの排尿データと、就寝から起床までの排尿データとを、互いに異なる文字色で表示する例を示している。たとえば、起床時刻の標識１２から就寝時刻の標識１３までの起床中を表す領域２０の排尿データ（排尿量）をオレンジ色で表示し、それ以外の就寝中を表す領域２１の排尿データ（排尿量）を青色で表示している。なお、図３では、排尿データの文字色の相違を、便宜的に白抜き文字と黒塗りの文字とにより表示している。
【００５１】
なお、図３において、起床時刻の標識１２のすぐ下（０６：４１）の排尿データ２３は、起床後の排尿データであるが、就寝中を表す領域２１に含めている。これは、起床後初回の排尿は、夜間に作られた尿なので、起床後であっても就寝中の排尿とみなすためである。
【００５２】
また、図３において、標識２４は、追加情報の有無を示している。具体的には、切迫感の欄に表示されている標識２４は、その時間における排尿時に切迫感を感じたことを表している。また、尿漏れの欄に表示されている標識２４は、その時間における排尿時に尿漏れがあったことを表している。また、排便の欄に表示されている標識２４は、その時間における排尿時に、排便があったことを表している。
【００５３】
また、時系列に沿って表示されている排尿データの表の下には、排尿回数、総排尿量、追加情報の回数を含む分析結果が表示されている。また、さらにその下には、起床中の排尿量の平均値、就寝中の排尿量の平均値および１日の排尿量の平均値を含む分析結果が表示されている。
【００５４】
次に、図４および図５を参照して、起床時刻に関するデータおよび就寝時刻に関するデータの修正方法について説明する。起床時刻に関するデータおよび就寝時刻に関するデータは、被検者端末２ｂ（図１参照）から送信されたデータを表示するため、通常であれば医師等が入力する必要はない。しかし、送信されたデータが誤っている場合や、そもそも起床時刻に関するデータおよび就寝時刻に関するデータが登録されていない場合など、医師等が患者から聞き出して入力する必要がある場合がある。そこで、本実施形態による排尿情報表示装置３では、起床就寝時刻修正部５ｇが、起床就寝時刻入力受付部７１によって取得された入力データに基づいて、起床時刻に関するデータおよび就寝時刻に関するデータを修正する。
【００５５】
まず図４を参照して、起床時刻に関するデータの修正方法について説明する。図４（Ａ）は、起床時刻を修正する前のイメージ図であり、ユーザにより起床時刻の標識１２がタップされると、図４（Ｂ）に示すように、起床就寝時刻入力受付部７１として、起床時刻変更リスト１２ａが表示される。ここで起床時刻が変更される（図４（Ｂ）では、０７：００が選択される）と、起床就寝時刻修正部５ｇによって起床時刻が修正され、図４（Ｃ）に示すように第１表示領域１４に表示される排尿データが変更される。すなわち、起床時刻が変更されたことにより、起床時刻前の排尿データは前日の排尿データに含まれるため、第１表示領域１４に表示されなくなる。なお、起床時刻変更リスト１２ａは、特許請求の範囲の「起床就寝時刻入力受付部」の一例である。
【００５６】
次に、図５を参照して就寝時刻に関するデータの修正方法について説明する。図５（Ａ）は、就寝時刻を修正する前のイメージ図であり、ユーザにより就寝時刻の標識１３がタップされると、図５（Ｂ）に示すように、起床就寝時刻入力受付部７１として、就寝時刻変更リスト１３ａが表示される。ここで就寝時刻が変更される（図５（Ｂ）では、２０：００が選択される）と、起床就寝時刻修正部５ｇによって就寝時刻が修正され、図５（Ｃ）に示すように就寝時刻の標識１３が移動する。なお、就寝時刻変更リスト１３ａは、特許請求の範囲の「起床就寝時刻入力受付部」の一例である。
【００５７】
本実施形態による排尿情報表示装置３では、排尿データと、起床時刻に関するデータおよび就寝時刻に関するデータと、排尿データの分析結果とを含む、単位期間のデータを表示する第１表示領域１４と、第１表示領域１４に含まれる少なくともいずれかのデータを、複数の単位期間に渡って表示する第２表示領域１５とを含む。なお、本明細書において、単位期間とは、たとえば１日のことである。
【００５８】
具体的には、排尿情報表示装置３では、第１表示領域１４は、単位期間としての１日のデータを時系列に沿って表示するように構成されており、第２表示領域１５は、複数日のデータをグラフ表示するように構成されている。第２表示領域１５は、たとえば、昼夜の排尿回数（図６参照）を表示する。また、第２表示領域１５は、たとえば、期間中の総排尿量（図７参照）を表示する。なお、本実施形態では、単位期間としての１日を、起床から翌日の起床までとしてデータを表示している。
【００５９】
次に、図６〜図８を参照して、本実施形態による排尿情報表示装置３の第２表示領域１５に表示される内容について説明する。本実施形態による排尿情報表示装置３の第２表示領域１５は、複数の単位期間に渡る第１表示領域１４に含まれる少なくともいずれかのデータを表示するように構成されている。なお、複数の単位期間とは、たとえば、１週間である。
【００６０】
まず、図６を参照して、第２表示領域１５としての昼夜の排尿回数画面７ｂを表示する例について説明する。
【００６１】
図６は、複数の単位期間に渡る昼夜の排尿回数をグラフ表示したものである。グラフの横軸が日付であり、縦軸は排尿回数となっている。グラフ中の白色の帯は起床中の排尿回数を示しており、黒色の帯は就寝中の排尿回数を示している。つまり、起床中の排尿回数と、就寝中の排尿回数とを、識別可能に表示している。また、起床中の標識１６が表示されている横方向の直線３０は、医師が設定した起床中の排尿回数の閾値（上限値）を示す直線である。また、就寝中の標識１７が表示されている直線３１は、医師が設定した就寝中の排尿回数の閾値（上限値）を示す直線である。昼夜の排尿回数画面７ｂによって、医師は、複数の単位期間に渡る昼夜の排尿回数の推移（変化）を一見して把握することができる。また、医師は、起床中および就寝中の排尿回数の閾値を超えている日数あるいは頻度を一見して把握することができる。
【００６２】
次に、図７を参照して、第２表示領域１５としての期間中の総排尿量画面７ｃを表示する例について説明する。
【００６３】
図７は、複数の単位期間に渡る期間中の総排尿量をグラフ表示したものである。グラフの横軸が日付であり、縦軸は排尿量（ｍｌ）となっている。グラフ中の白色の帯は起床中の排尿量を示しており、黒色の帯は就寝中の排尿量を示している。つまり、起床中の排尿量と、就寝中の排尿量とを、識別可能に表示している。また、標準と記された横方向の直線４０は、医師が設定した１日の総排尿量の閾値（上限値）を示す直線である。また、グラフ中のパーセントで示されている数値は、就寝中の排尿量の割合（就寝中の排尿量／１日の総排尿量×１００）を示す数値である。就寝中の排尿量の割合が３３％（１／３）を超えた場合、就寝中の排尿量が多いと判断できる。また、期間中で最も排尿量が多い日の数値（総排尿量）をグラフ中に示している。期間中の総排尿量画面７ｃによって、医師は、期間中の総排尿量の推移（変化）や、就寝中の排尿量の割合の推移（変化）、閾値を超えた排尿があった日数（頻度）などを、一見して把握することができる。
【００６４】
次に、図８を参照して、第２表示領域１５としての、期間中の排尿量画面７ｄを表示する例について説明する。
【００６５】
図８は、複数の単位期間に渡る期間中の排尿量をグラフ表示したものである。グラフの横軸が日付であり、縦軸は排尿量（ｍｌ）となっている。グラフ中の白色の帯は起床中の排尿量を示しており、黒色の帯は就寝中の排尿量を示している。つまり、起床中の排尿量と、就寝中の排尿量とを、識別可能に表示している。また、起床中の標識１６が表示されている横方向の直線５０は、医師が設定した起床中の排尿量の閾値（上限値）を示す直線である。また、就寝中の標識１７が表示されている横方向の直線５１は、医師が設定した就寝中の排尿量の閾値（上限値）を示す直線である。また、期間中で最も排尿量が多い数値（１回の排尿量）をグラフ中に示している。期間中の排尿量画面７ｄよって、医師は、複数の単位期間に渡る排尿データの排尿回数の推移（変化）や、排尿量の推移（変化）、閾値を超えた排尿（１回の排尿量）などを、一見して把握することができる。
【００６６】
また、排尿情報表示装置３では、第１表示領域１４と、第２表示領域１５とを、異なる画面で表示するように構成されている。第１表示領域１４と第２表示領域１５とは、画面切り替えタブ８によって切り替え可能に構成されている。
【００６７】
次に、図９を参照して、閾値設定画面７ｅの構成について説明する。閾値設定画面７ｅは、排尿日誌画面７ａ、昼夜の排尿回数画面７ｂおよび期間中の総排尿量画面７ｃに表示されている設定ボタン１１をタップすることによって表示される。排尿情報表示装置３は、閾値設定画面７ｅにおいて、排尿回数、排尿量、排尿感覚および起床後の夜間時間の設定を変更することができるように構成されている。なお、閾値設定画面７ｅは、特許請求の範囲の「閾値入力受付部」の一例である。
【００６８】
（本実施形態の効果）
本実施形態では、以下のような効果を得ることができる。
【００６９】
本実施形態では、上記のように、排尿情報表示装置３は、排尿日時と排尿量とを含む排尿データを表示する排尿データ表示制御部５ａと、起床時刻に関するデータおよび就寝時刻に関するデータを表示する時刻データ表示制御部５ｂと、排尿データの分析結果を表示する分析結果表示制御部５ｃとを備え、排尿データ、起床時刻に関するデータおよび就寝時刻に関するデータ、および排尿データの分析結果を同一画面上に表示するように構成されている。これにより、排尿データ、起床時刻に関するデータおよび就寝時刻に関するデータ、および排尿データの分析結果といった、診断に必要なデータを同一画面に表示することがすることができる。その結果、患者の排尿情報を診断する際に、医師が患者の起床就寝などの生活習慣と排尿情報とを結び付けて容易に把握することができる。
【００７０】
また、本実施形態では、上記のように、排尿情報表示装置３は、起床から就寝までの排尿データと、就寝から起床までの排尿データとを異なる表示態様で視覚的に識別可能に表示するように構成されている。これにより、起床中の排尿データと、就寝中の排尿データとが視覚的に識別可能になるので、医師が排尿時間と起床時刻および就寝時刻とを見比べることなく、一見して排尿データが起床中のデータであるか就寝中のデータであるかを判断することができる。
【００７１】
また、本実施形態では、上記のように、排尿情報表示装置３は、起床から就寝までの排尿データ（起床中を表す領域２０の範囲にある排尿データ）と、就寝から起床までの排尿データ（就寝中を表す領域２１の範囲にある排尿データ）とを、互いに異なる文字色で表示するように構成されている。これにより、起床から就寝までの排尿データと、就寝から起床までの排尿データとが色分けされるので、起床中の排尿データと就寝中の排尿データとをさらに容易に識別することができる。
【００７２】
また、本実施形態では、上記のように、排尿情報表示装置３は、排尿データと、起床時刻に関するデータおよび就寝時刻に関するデータと、排尿データの分析結果とを含む、単位期間のデータを表示する第１表示領域１４と、第１表示領域１４に含まれる少なくともいずれかのデータを、複数の単位期間に渡って表示する第２表示領域１５とを有する。これにより、排尿データ、起床時刻に関するデータおよび就寝時刻に関するデータおよび排尿データの分析結果の単位期間中のデータから、短期間における突発的な異変の有無などを確認することができる。また、排尿データ、起床時刻に関するデータおよび就寝時刻に関するデータおよび排尿データの分析結果の複数の単位期間に渡るデータから、治療の効果など、長期的な経過を確認することができる。
【００７３】
また、本実施形態では、上記のように、第１表示領域１４は、単位期間としての１日のデータを時系列に沿って表示するように構成されており、第２表示領域１５は、複数日のデータをグラフ表示するように構成されている。これにより、第１表示領域１４において、１日の時系列に沿った実データを確認することができるので、１日の中での異変等を、より詳細に確認することができる。また、第２表示領域１５において、複数日のデータをグラフによって視覚的に確認することができるので、治療の効果などをより容易に把握することができる。
【００７４】
また、本実施形態では、上記のように、排尿情報表示装置３は、第１表示領域１４と、第２表示領域１５とを、異なる画面で表示するように構成されている。これにより、１画面に情報を詰め込みすぎることを抑制することができるので、排尿情報を見やすくすることができる。
【００７５】
また、本実施形態では、上記のように、排尿データの分析結果は、合計排尿量、１日の合計排尿回数、起床中および就寝中のそれぞれの平均排尿量および排尿回数を含む。これにより、合計排尿量、１日の合計排尿回数、起床中および就寝中のそれぞれの平均排尿量および排尿回数などの診断に必要な排尿データの分析結果を、排尿データ、起床時刻に関するデータおよび就寝時刻に関するデータとともに確認することができるので、診断の負担を軽減することができる。
【００７６】
また、本実施形態では、上記のように、排尿情報表示装置３は、排尿に関する切迫感、尿漏れ、排便の有無を含む排尿データの追加情報を表示する追加情報表示制御部５ｄをさらに備える。これにより、排尿時の状況をより詳細に把握することができるので、診断の精度を向上させることができる。
【００７７】
また、本実施形態では、上記のように、時刻データ表示制御部５ｂは、時系列に並ぶ排尿データの間に、起床時刻に関するデータおよび就寝時刻に関するデータとして、それぞれ、起床時刻の標識１２および就寝時刻の標識１３を表示する、時刻データ表示制御部５ｂを含む。これにより、起床時刻および就寝時刻を、起床時刻の標識１２および就寝時刻の標識１３により視覚的に把握することができるので、時系列に並ぶ排尿データのうち、起床中の排尿データの範囲と就寝中の排尿データの範囲とを容易に区別することができる。
【００７８】
また、本実施形態では、上記のように、排尿情報表示装置３は、排尿データおよび排尿データの分析結果のうち、閾値を上回る数値データを強調する標識２２を表示する強調表示制御部５ｆをさらに備える。これにより、異常値（医師が設定した閾値を超える値）を示しているデータを見落とすことを抑制することができる。
【００７９】
また、本実施形態では、上記のように、排尿情報表示装置３は、閾値の入力を受け付ける閾値入力受付部７０をさらに備え、強調表示制御部５ｆは、閾値の入力を受け付けて、閾値を変更可能に構成されている。これにより、ユーザである医師が自由に適切な閾値を設定することができるので、各医師で異なる基準に合わせた診断の利便性を向上させることができる。
【００８０】
また、本実施形態では、上記のように、起床時刻に関するデータおよび就寝時刻に関するデータの入力を受け付ける起床就寝時刻入力受付部７１をさらに備え、起床就寝時刻入力受付部７１によって取得された入力データに基づいて、起床時刻に関するデータおよび就寝時刻に関するデータを修正する起床就寝時刻修正部５ｇをさらに備える。これにより、起床時刻に関するデータおよび就寝時刻に関するデータを自動で取得することができる。また、取得したデータが間違っていた場合、修正することができる。その結果、誤ったデータを用いて診断を行うことを回避することができるので、診断の精度を向上させることができる。
【００８１】
また、本実施形態では、上記のように、排尿情報表示システム１００は、排尿日時と排尿量とを含む排尿データを表示する排尿データ表示制御部５ａと、起床時刻に関するデータおよび就寝時刻に関するデータを表示する時刻データ表示制御部５ｂと、排尿データの分析結果を表示する分析結果表示制御部５ｃとを備える、排尿情報表示装置３と、排尿情報表示装置３と無線により接続可能な排尿量計測機器１とを備え、排尿情報表示装置３は、排尿量計測機器１から排尿データと、起床時刻に関するデータおよび就寝時刻に関するデータとを取得するように構成されている。これにより、医師が診断を行う際に必要なデータを排尿量計測機器１から取得し、排尿データと、起床時刻に関するデータおよび就寝時刻に関するデータと、排尿データの分析結果とを表示することができる。その結果、患者の排尿情報を診断する際に、医師が患者の状態を容易に把握することができる。また、排尿データを排尿量計測機器１から取得することができるので、医師が手入力する手間を省くことができる。また、分析したデータを取得することができるので、医師が分析する手間を省くことができる。
【００８２】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８３】
たとえば、上記実施形態では、単位期間としての１日のデータを時系列にそって表示する際に、表形式で表示する例を示したが、本発明はこれに限られない。たとえば、図１０に示す１日の排尿量画面７ｆのように、１日の排尿量をグラフ表示するように構成されていてもよい。このように構成すれば、排尿時間や排尿量、排尿間隔などがグラフにより直感的に把握することができる。
【００８４】
また、上記実施形態では、第２表示領域１５に複数日のデータをグラフ表示する例を示したが、本発明はこれに限られない。たとえば、図１１に示す期間中の統計データ画面７ｇのように、複数日のデータを表形式で表示してもよい。
【００８５】
また、上記実施形態では、第１表示領域１４と、第２表示領域１５とを、画面切り替えタブ８で切り替えることによって異なる画面で表示する例を示したが、本発明はこれに限られない。たとえば、図１２に示す排尿日誌画面７ｈのように、第１表示領域１４と、第２表示領域１５とを同一画面上に表示してもよい。排尿日誌画面７ｈでは、第１表示領域１４に単位期間の排尿データ、起床時刻に関するデータおよび就寝時刻に関するデータおよび分析結果を表示するとともに、第２表示領域１５に複数の単位期間に渡る期間中の総排尿量のデータのグラフを表示している。
【００８６】
また、図１３に示す排尿日誌画面７ｉのように、第２表示領域１５に、単位期間の排尿量のグラフを表示してもよい。
【００８７】
さらに、図１４に示す排尿日誌画面７ｊのように、第２表示領域１５に、単位期間の排尿間隔（排尿インターバル）のグラフを表示してもよい。第２表示領域１５には、図６〜図８に示したような、昼夜の排尿回数画面７ｂ〜期間中の排尿量画面７ｄに相当するどのようなデータを表示してもよい。
【００８８】
また、上記実施形態では、起床中の排尿データ文字色と就寝中の排尿データの文字色とを互いに異ならせることによって視覚的に識別可能に表示する例を示したが、本発明はこれに限られない。たとえば、起床中の排尿データの背景色と、就寝中の排尿データの背景色とを互いに異なるように表示するように構成されていてもよい。
【００８９】
また、上記実施形態では、閾値を超えた排尿データの横に標識２２を表示することによって強調表示する例を示したが、本発明はこれに限られない。たとえば、標識に代えて排尿データの数値を太字にしたり、点滅させることによって強調表示するように構成されていてもよい。
【００９０】
また、上記実施形態では、排尿量計測機器１と排尿情報表示装置３とを無線接続する例を示したが、本発明はこれに限られない。排尿量計測機器１と排尿情報表示装置３とを有線で接続するように構成してもよいし、ＵＳＢメモリやＳＤカードのような記憶媒体を介して排尿情報を取得するように構成してもよい。
【００９１】
また、上記実施形態では、排尿量計測機器１として、体重計２ａと被検者端末２ｂとを備える例を示したが、本発明はこれに限られない。被検者の排尿量を計測して排尿情報表示装置３に排尿データを送信することができる機器であれば、どのような計測機器であってもよい。
【００９２】
また、上記実施形態では、分析結果表示制御部５ｃによって排尿データを分析し、表示部７に表示する例を示したが、本発明はこれに限られない。たとえば、排尿量計測機器１によって分析された排尿データの分析結果を取得して表示するように構成されていてもよいし、医師等が分析した排尿データの分析結果を取得して表示するように構成されていてもよい。
【００９３】
また、上記実施形態では、排尿情報表示装置３をタブレット端末で構成する例を示したが、本発明はこれに限られない。たとえば、排尿情報表示装置３は、ＰＣ（Ｐｅｒｓｏｎａｌ  Ｃｏｍｐｕｔｅｒ）によって構成されていてもよい。
【００９４】
また、上記実施形態では、起床時刻に関するデータおよび就寝時刻に関するデータとして、起床就寝標識表示制御部５ｅが、起床時刻の標識１２および就寝時刻の標識１３を表示する例を示したが、本発明はこれに限られない。たとえば、時刻データ表示制御部が、起床時刻および就寝時刻を表示するように構成されていてもよい。
【００９５】
また、上記実施形態では、単位期間としての１日を、起床から翌日の起床までとしてデータを表示する例を示したが、本発明はこれに限られない。１日のデータ表示は、０時〜２４時で区切ってもよい。
【符号の説明】
【００９６】
１  排尿量計測機器
３  排尿情報表示装置
５ａ  排尿データ表示制御部
５ｂ  時刻データ表示制御部
５ｃ  分析結果表示制御部
５ｄ  追加情報表示制御部
５ｅ  起床就寝標識表示制御部
５ｆ  強調表示制御部
５ｇ  起床就寝時刻修正部
１２  起床時刻の標識
１２ａ  起床時刻変更リスト（起床就寝時刻入力受付部）
１３  就寝時刻の標識
１３ａ  就寝時刻変更リスト（起床就寝時刻入力受付部）
１４  第１表示領域
１５  第２表示領域
２２  閾値を上回る数値データを強調する標識
７０  閾値入力受付部
７１  起床就寝時刻入力受付部
【図１】
0006733806.tif 000002
【図２】
0006733806.tif 000003
【図３】
0006733806.tif 000004
【図４】
0006733806.tif 000005
【図５】
0006733806.tif 000006
【図６】
0006733806.tif 000007
【図７】
0006733806.tif 000008
【図８】
0006733806.tif 000009
【図９】
0006733806.tif 000010
【図１０】
0006733806.tif 000011
【図１１】
0006733806.tif 000012
【図１２】
0006733806.tif 000013
【図１３】
0006733806.tif 000014
【図１４】
0006733806.tif 000015